(57)【特許請求の範囲】
【請求項１】
第１の方向に沿って延びる複数のＸ電極と、これと交差する第２の方向に延びる複数のＹ電極と、前記複数のＸ，Ｙ電極により駆動される電気光学素子とを有する表示部と、
前記複数のＸ電極を駆動するＸドライバと、
前記複数のＹ電極を駆動するＹドライバと、
を有し、
前記Ｘドライバは、前記複数のＸ電極のうちの一部を駆動するマスターＩＣと、前記複数のＸ電極のうちの他の一部を駆動する少なくとも１個のスレーブＩＣとを有し、
前記マスターＩＣは、外部ＭＰＵからの信号に基づいて、表示制御信号を生成する表示制御信号生成部と、前記表示制御信号を出力する出力端子とを有し、
前記マスターＩＣ及び前記少なくとも１個のスレーブＩＣは、前記マスターＩＣの前記出力端子から出力される前記表示制御信号を、外部配線を介してそれぞれ入力する入力端子を有することを特徴とする電気光学装置。
【請求項２】
請求項１において、
前記マスターＩＣ及び前記少なくとも１個のスレーブＩＣの各々は、
前記外部ＭＰＵからの表示データが書き込まれる表示用メモリと、
前記表示用メモリから読み出されて前記表示部に表示される前記表示データの表示アドレスを指定する表示アドレス回路と、
前記表示用メモリから読み出された前記表示データに基づくデータ信号を前記Ｘ電極に供給するドライバと、
を有し、
前記入力端子を介して入力された表示制御信号は、前記表示アドレス回路と前記ドライバとに供給されることを特徴とする電気光学装置。
【請求項３】
請求項１または２において、
前記表示部では、前記マスターＩＣ及び前記少なくとも１個のスレーブＩＣからのパルス幅変調信号に基づいて階調表示され、
前記表示制御信号生成部にて生成される前記表示制御信号は、前記パルス幅変調信号を生成するための階調制御信号を含むことを特徴とする電気光学装置。
【請求項４】
請求項１乃至３のいずれかにおいて、
前記スレーブＩＣは、前記入力端子として第１，第２の入力端子を有し、
前記スレーブＩＣは、前記第１，第２の入力端子を介して入力される前記表示制御信号の論理積を出力する論理積回路をさらに有し、
前記マスターＩＣの前記出力端子から前記入力端子までの距離をＬ１とし、前記マスターＩＣの前記出力端子から前記スレーブＩＣの前記第１の入力端子までの距離をＬ２とし、前記マスターＩＣの前記出力端子から前記スレーブＩＣの前記第２の入力端子までの距離をＬ３としたとき、Ｌ１＝Ｌ２＜Ｌ３に設定されていることを特徴とする電気光学装置。
【請求項５】
請求項１乃至３のいずれかにおいて、
前記スレーブＩＣは、前記入力端子として第１，第２の入力端子を有し、
前記スレーブＩＣは、前記第１，第２の入力端子を介して入力される前記表示制御信号の論理和を出力する論理和回路をさらに有し、
前記マスターＩＣの前記出力端子から前記入力端子までの距離をＬ１とし、前記マスターＩＣの前記出力端子から前記スレーブＩＣの前記第１の入力端子までの距離をＬ２とし、前記マスターＩＣの前記出力端子から前記スレーブＩＣの前記第２の入力端子までの距離をＬ３としたとき、Ｌ２＜Ｌ１＜Ｌ３でかつＬ３−Ｌ１＜Ｌ１−Ｌ２に設定されていることを特徴とする電気光学装置。
【請求項６】
請求項１乃至３のいずれかにおいて、
前記スレーブＩＣは、前記入力端子として第１，第２の入力端子を有し、
前記スレーブＩＣは、前記第１，第２の入力端子を介して入力される前記表示制御信号の一方の論理の遷移状態を選択する信号選択回路をさらに有し、
前記信号選択回路は論理積回路及び論理和回路を含み、外付け配線によって前記論理積回路及び前記論理和回路のいずれか一方を選択可能であることを特徴とする電気光学装置。
【請求項７】
請求項１乃至６のいずれかに記載の電気光学装置を有することを特徴とする電子機器。
【請求項８】
複数の電極にデータ信号を供給して電気光学素子を表示駆動する表示駆動ＩＣにおいて、
外部ＭＰＵからのアドレスデータ、表示データ及びコマンドが入力されるインターフェース回路と、
前記インターフェース回路からのアドレスデータに基づいてアドレス信号を生成するアドレス回路と、
前記アドレス回路からのアドレス信号に従って、前記インターフェース回路からの表示データが書き込まれる表示用メモリと、
前記インターフェース回路からの信号に基づいて表示制御信号を生成する表示制御信号生成部と、
前記表示制御信号に基づいて、前記表示用メモリから読み出されて前記表示部に表示される前記データの表示アドレスを生成する表示アドレス回路と、
前記表示用メモリから読み出された前記データと、前記表示制御信号とに基づいて、前記データ信号を前記複数の電極に供給するドライバと、
マスター、スレーブの一方が選択される選択端子と、
前記表示制御信号生成部からの前記表示制御信号を出力する出力端子と、
外部から前記表示制御信号が入力される入力端子と、
を有し、
前記選択端子によりマスターに設定された場合には、前記表示制御信号生成部がイネーブル状態にされると共に、前記出力端子より出力される前記表示制御信号が、前記入力端子を介して入力されて前記ドライバに供給され、
前記選択端子によりスレーブに設定された場合には、前記表示制御信号生成部がディスイネーブル状態にされることを特徴とする表示駆動ＩＣ。
【請求項９】
請求項８において、
前記出力端子に代えて設けられ、前記表示制御信号生成部からの前記表示制御信号を出力する状態と、外部から前記表示制御信号が入力される状態とに切換可能な入出力端子と、
前記入出力端子及び前記入力端子から入力される前記表示制御信号の一方の論理の遷移状態を選択する信号選択回路と、
をさらに有し、
前記選択端子によりマスターに設定された場合には、前記入出力端子より前記表示制御信号が出力され、
前記選択端子によりスレーブに設定された場合には、前記入出力端子より前記表示制御信号が入力されることを特徴とする表示駆動ＩＣ。
【請求項１０】
複数の電極にデータ信号を供給して電気光学素子を表示駆動する表示駆動ＩＣにおいて、
外部ＭＰＵからのアドレスデータ、表示データ及びコマンドが入力されるインターフェース回路と、
前記インターフェース回路からのアドレスデータに基づいてアドレス信号を生成するアドレス回路と、
前記アドレス回路からのアドレス信号に従って、前記インターフェース回路からの表示データが書き込まれる表示用メモリと、
前記インターフェース回路からの信号に基づいて表示制御信号を生成する表示制御信号生成部と、
前記表示制御信号に基づいて、前記表示用メモリから読み出されて前記表示部に表示される前記データの表示アドレスを生成する表示アドレス回路と、
前記表示用メモリから読み出された前記データと、前記表示制御信号とに基づいて、前記データ信号を前記複数の電極に供給するドライバと、
マスター、スレーブの一方が選択される選択端子と、
前記表示制御信号生成部からの前記表示制御信号を出力する出力端子と、
前記表示制御信号回路からの前記表示制御信号を遅延させる内部遅延回路と、
外部から前記表示制御信号が入力される入力端子と、
前記内部遅延回路及び前記入力端子からの前記表示制御信号の一つの論理の遷移状態を選択する信号選択回路と、
を有し、
前記選択端子によりマスターに設定された場合には、前記表示制御信号生成部がイネーブル状態にされ、前記表示制御信号生成部にて生成された前記表示制御信号が前記出力端子を介して出力されると共に、前記表示制御信号生成部にて生成された前記表示制御信号が前記内部遅延回路及び前記信号選択回路を介して前記ドライバに入力され、
前記選択端子によりスレーブに設定された場合には、前記表示制御信号生成部がディスイネーブル状態にされると共に、前記入力端子より入力される前記表示制御信号が、前記信号選択回路を介して前記ドライバに供給されることを特徴とする表示駆動ＩＣ。
【請求項１１】
請求項１０において、
前記出力端子に代えて、前記表示制御信号生成部からの前記表示制御信号を出力する状態と、外部から前記表示制御信号が入力される状態とに切換可能な入出力端子が設けられ、
前記信号選択回路は、前記入出力端子、前記内部遅延回路及び前記入力端子から入力される前記表示制御信号の一つの論理の遷移状態を選択するものであり、
前記選択端子によりマスターに設定された場合には、前記入出力端子より前記表示制御信号が出力され、
前記選択端子によりスレーブに設定された場合には、前記入出力端子より前記表示制御信号が入力されることを特徴とする表示駆動ＩＣ。
【請求項１２】
請求項９乃至１１のいずれかにおいて、
前記信号選択回路は論理積回路を含むことを特徴とする表示駆動ＩＣ。
【請求項１３】
請求項９乃至１２のいずれかにおいて、
前記信号選択回路は論理和回路を含むことを特徴とする表示駆動ＩＣ。
【発明の詳細な説明】
【０００１】
【発明の属する技術分野】
本発明は、例えば液晶等の電気光学素子を用いた電気光学装置及びそれを用いた電子機器並びに表示駆動ＩＣに関する。
【０００２】
【背景技術】
例えば液晶表示装置では、白、黒などの２値表示、あるいは中間調表示を含めた階調表示を行っている。
【０００３】
ここで、電気光学素子として液晶素子を用い、パッシブまたはアクティブ駆動する場合には、例えば横方向に複数本延びる行電極（Ｙ電極）の１本を選択し、縦方向に延びる複数の列電極（Ｘ電極）に同時にデータ信号を供給して、線順次で液晶を駆動している。
【０００４】
特に、近年では高細精な表示画面を提供するために、Ｘ電極の数が増大する傾向にある。
【０００５】
この場合、Ｘ電極の全てを一つの駆動ＩＣにて駆動することが困難となる。なぜなら、ＩＣチップの製造可能な最大サイズ（例えば２０〜３０ｍｍ程度）を許容端子ピッチ（例えばＣＯＧの場合で５０μｍ程度）で割った数の本数が、外部端子数の最大値となるからである。
【０００６】
そこで、例えば図１０に示すように、２Ｎ本のＸ電極を有する液晶表示部６００を第１の方向で２つにグループ化し、Ｎ本のＸ電極を駆動するＸドライバＩＣ６１０，６２０を２つ設け、Ｘ電極をグループ毎に駆動するようにしている。
【０００７】
ここで、ＸドライバＩＣ６１０，６２０は、共に図示しないＭＰＵ（マイクロプロセッサ  ユニット）からのコマンド及びデータに基づいて、それぞれＮ本のＸ電極にデータ信号を供給するのである。ただし、表示制御信号についてはＩＣ内で生成している。この表示制御信号は一方のＸドライバＩＣ６１０のみで生成すれば足り、このＸドライバＩＣ６１０をマスターと呼び、ＸドライバＩＣ６１０からの表示制御信号が配線６４０を介して入力されるＸドライバーＩＣ６２０をスレーブと呼ぶ。
【０００８】
また、Ｙドライバ６３０に必要な表示制御信号も、配線６５０を介してマスター側のＸドライバＩＣ６１０より供給される。
【０００９】
【発明が解決しようとする課題】
図１０に示す従来技術によれば、液晶表示部６００のうち、ＸドライバＩＣ６１０により表示駆動される左半分の画面６００Ａと、ＸドライバＩＣ６２０により表示駆動される右半分の画面６００Ｂとの濃淡に、差が生ずることがあった。すなわち、ノーマリホワイトの駆動では、左半分の画面６００Ａと比べて、右半分の画面６００Ｂが白っぽく（薄い表示）なっていた。
【００１０】
そこで、本発明の目的は、ドライバＩＣを複数使用して電極にデータ信号を供給しても、画面内で生ずる濃淡差を低減することができる電気光学装置及びそれを用いた電子機器並びに表示駆動用ＩＣを提供することにある。
【００１１】
【課題を解決するための手段】
本発明の一態様に係る電気光学装置は、第１の方向に沿って延びる複数のＸ電極と、これと交差する第２の方向に延びる複数のＹ電極と、前記複数のＸ，Ｙ電極により駆動される電気光学素子とを有する表示部と、
前記複数のＸ電極を駆動するＸドライバと、
前記複数のＹ電極を駆動するＹドライバと、
を有し、
前記Ｘドライバは、前記複数のＸ電極のうちの一部を駆動するマスターＩＣと、前記複数のＸ電極のうちの他の一部を駆動する少なくとも１個のスレーブＩＣとを有し、
前記マスターＩＣは、外部ＭＰＵからの信号に基づいて、表示制御信号を生成する表示制御信号生成部を有し、
前記マスターＩＣ及び前記少なくとも１個のスレーブＩＣは、前記マスターＩＣの前記制御信号生成部から出力される前記表示制御信号を、外部配線を介してそれぞれ入力する入力端子を有することを特徴とする。
【００１２】
上述した従来技術での画面内の濃淡差は、表示制御信号の遅延量が、マスターＩＣとスレーブＩＣとで大きく相違していることに起因する。なぜなら、マスターＩＣでは内部で生成した表示制御信号をそのまま用い、スレーブＩＣでは外部配線を介して表示制御信号が入力されるからである。この表示制御信号の遅延量の相違により、図１０に示す左半分の画面６００Ａと右半分の画面６００Ｂの各表示部の電極に印加される電圧に差が生じ、濃淡差が生じている。
【００１３】
本発明によれば、マスターＩＣ及び少なくとも１個のスレーブＩＣは、マスターＩＣから供給される表示制御信号を、外部配線を介して入力している。このため、この外部配線での信号遅延量の差を少なく配線すれば、画面内での濃淡差を低減できる。
【００１４】
本発明では、前記マスターＩＣ及び前記少なくとも１個のスレーブＩＣの各々は、
前記外部ＭＰＵからの表示データが書き込まれる表示用メモリと、
前記表示用メモリから読み出されて前記表示部に表示される前記表示データの表示アドレスを指定する表示アドレス回路と、
前記表示用メモリから読み出された前記表示データに基づくデータ信号を前記Ｘ電極に供給するドライバと、
を有し、
前記入力端子を介して入力された表示制御信号は、前記表示アドレス回路と前記ドライバとに供給されることが好ましい。
【００１５】
こうすると、表示メモリより表示データを読み出すタイミング、及びドライバにて生成されるデータ信号中のタイミングが、共に表示制御信号のタイミングに依存するが、本発明ではこのタイミング差をマスター、スレーブＩＣ間で少なくすることができる。
【００１６】
本発明は、表示部にて、前記マスターＩＣ及び前記少なくとも１個のスレーブＩＣからのパルス幅変調信号に基づいて階調表示される場合に特に有効である。この場合、前記表示制御信号生成部にて生成される前記表示制御信号は、前記パルス幅変調信号を生成するための階調制御信号を含むことになる。この階調制御信号のタイミング差をマスター、スレーブＩＣ間で少なくすることで、画面内の濃淡差を低減できる。
【００１７】
本発明の他の態様は、マスターＩＣにて生成された表示制御信号を内部遅延回路にて遅延させ、一方、スレーブＩＣでは外部配線にて遅延された表示制御信号を用いることで、マスター、スレーブＩＣにて使用される表示制御信号間の遅延差を少なくしている。こうすることでも、画面内での濃淡差を低減することができる。
【００１８】
このとき、内部遅延回路での遅延量を可変できれば、スレーブＩＣへの外部配線に依存した信号遅延量に併せて調整できる。
【００１９】
本発明のさらに他の態様では、上述した発明に係る電気光学装置を用いた電子機器を定義している。
【００２０】
本発明のさらに他の態様では、上述した電気光学装置のＸドライバに用いられる表示駆動ＩＣを定義している。
【００２１】
【発明の実施の形態】
以下、本発明の実施の形態について、図面を参照して説明する。
【００２２】
（第１の実施の形態）
図１〜図７は、本発明の第１の実施の形態に係る液晶装置を示している。
【００２３】
（液晶装置の全体概要）
図１は、例えば携帯電話の表示ユニットとしての液晶装置の概略断面図である。図１に示すように、この液晶装置は、液晶表示ドライバＩＣ１０が搭載された液晶モジュール２０と、ＭＰＵ３００が搭載された印刷回路基板３０と、液晶モジュール２０と印刷回路基板３０とを電気的に接続させるコネクタ例えば導電部と絶縁部とを交互に形成した弾性接続部材（ゼブラゴム）４０とで構成される。弾性接続部材４０は図１の裏面から表面に向かう方向に長手沿って導電部と絶縁部とが交互に積層されて構成され。この弾性接続部材４０の長手方向にて均等に圧力を作用させることで、液晶モジュール２０と印刷回路基板３０との端子同士が電気的に接続される。
【００２４】
液晶モジュール２０は、２枚のガラス基板２２，２４間に電気光学素子である液晶２６を封止して構成される液晶表示部２８を有し、一方の基板２４に液晶表示ドライバＩＣ１０がＣＯＧ（Chip On Grass）として搭載される。
【００２５】
ここで、この第１の実施の形態は本発明をパッシブ駆動型液晶装置に適用したものであり、例えばガラス基板２２，２４の対向面には、例えば複数のセグメント電極（Ｘ電極）と複数のコモン電極（Ｙ電極）とが互いに交差する方向に形成されている（図２参照）。そして、Ｘ，Ｙ電極の各交差部の画素の透過率を、Ｘ，Ｙ電極に印加される電圧によって制御することで、液晶表示部２８にて画像表示が可能となっている。
【００２６】
ここで、本発明は必ずしもパッシブ駆動型液晶装置に限らず、ＭＩＭ（金属−絶縁層−金属）またはＴＦＤ（薄膜ダイオード）などの二端子素子、ＴＦＴ（薄膜トランジスタ）等の三端子素子をアクティブ素子として用いたアクティブ駆動型液晶装置にも同様に適用できる。
【００２７】
この液晶モジュール２０は、図１６に示すように携帯電話機５００に液晶表示部２８が露出するように配置される。携帯電話機５００は、液晶表示部２８の他、受話部５１０，送話部５２０，操作部５３０及びアンテナ５４０等を有する。そして、ＭＰＵ３００は、アンテナ５４０にて受信された情報、あるいは操作部５３０にて操作入力された情報に基づいて、液晶モジュール２０にコマンドデータあるいは表示データを送出する。
【００２８】
（液晶表示ドライバＩＣの構成）
図２は、液晶表示部２８と液晶表示ドライバＩＣ１０との関係を示している。液晶ドライバＩＣ１０として、２つのＸドライバＩＣ１０Ａ，１０Ｂと、一つのＹドライバＩＣ１２とが設けられる。
【００２９】
２つのＸドライバＩＣ１０Ａ，１０Ｂは元々同一のＩＣであるが、外部との配線によって、ＸドライバＩＣ１０ＡがマスターＩＣとして機能し、ＸドライバＩＣ１０ＢがスレーブＩＣとして機能する。
【００３０】
ここで、ＸドライバＩＣ１０Ａは図２に示す液晶表示部２８の左半分の画面２８Ａ内のＸ電極を駆動するものであり、ＸドライバＩＣ１０Ｂは右半分の画面２８Ｂ内のＸ電極を駆動するものである。２つのＸドライバＩＣ１０Ａ，１０Ｂには共に、ＭＰＵ３００からのコマンド及びデータ等が入力される。
【００３１】
マスターであるＸドライバＩＣ１０Ａは、表示制御信号生成部（詳細は後述する）にて生成される表示制御信号を出力端子１８２を介して外部配線２００に出力する。そして、マスターであるＸドライバＩＣ１０Ａは第１の入力端子１３０を介して、スレーブであるＸドライバＩＣ１０Ｂは第１，第２の入力端子１３０，１８４を介して、それぞれ表示制御信号が入力される。また、マスターであるＸドライバＩＣ１０Ａは、Ｙドライバ１２のための表示制御信号をも、ＹドライバＩＣ１２に向けて出力するようになっている。
【００３２】
（ＸドライバＩＣの詳細な説明）
図３は、ＸドライバＩＣ１０Ａ，１０Ｂに共通な構成を示している。図３において、ＸドライバＩＣ１０Ａ，１０Ｂは以下の構成を有する。
【００３３】
インターフェース回路１００には、ＭＰＵ３００からのコマンド（ライト、リードコマンドを含む）及びデータ（表示データ及びアドレスデータを含む）が、端子１０２，１０３を介してシリアルまたはパラレルで入力される。このインターフェース回路１００は、コマンドデコーダ、レジスタなどを含むことができる。
【００３４】
表示用メモリ例えばＲＡＭ１１０は、図２に示す画面２８Ａまたは２８Ｂ内の画素数と対応するメモリ素子を少なくとも有している。ＭＰＵ３００からインターフェース回路１００，Ｉ／Ｏバッファ１１２を介して入力される表示データは、ＭＰＵ３００からのライトコマンドに基づき、カラムアドレス回路１１４，ローアドレス回路１１６からのアドレスに従ってＲＡＭ１１０に書き込まれる。また、ＲＡＭ１１０に書き込まれた表示データをＭＰＵ３００側に読み出すこともでき、ＭＰＵ３００からのリードコマンドに基づき、カラムアドレス回路１１４，ローアドレス回路１１６からのアドレスに従ってＲＡＭ１１０より表示データが読み出される。
【００３５】
ＲＡＭ１１０に書き込まれた表示データに基づいて表示駆動するには、表示アドレス回路１１８からの１ライン指定のアドレス信号に基づいて、ＲＡＭ１１０内の表示データが１ライン分読み出されてドライバ１２０に供給される。
【００３６】
表示アドレス回路１１８及びドライバ１２０での動作上、上述した表示制御信号が必要となる。この表示制御信号としては、図４に示すように、ラッチパルスＬＰ，リセット信号ＲＥＳ，階調制御信号ＧＣＰ及び極性反転信号ＦＲなどを挙げることができる。これらの表示制御信号は、後述する通りＸドライバ１０Ａの表示制御信号生成部１６０にて生成され、図２に示すように入出力端子１８０（図６に示す出力端子１８２）を介して一旦外部に出力された後に、図２に示す配線２００、第１の入力端子１３０を介してＸドライバＩＣ１０Ａに入力される。一方、スレーブとなるＸドライバＩＣ１０Ｂでは、配線２００及び第１の入力端子１３０及び入出力端子１８０（図７に示す第２の入力端子１８４）を介して入力される。
【００３７】
表示アドレス回路１１８は、ラッチパルスＬＰに同期させて１ラインの読み出しアドレスを順次指定する。
【００３８】
図５は、ドライバ１２０を示すブロック図である。図５において、このドライバ１２０は、ラッチ回路１２１，カウンタ１２２，一致検出回路１２３，レベルシフタ１２４及びＬＣＤドライバ１２５を有する。
【００３９】
ラッチ回路１２１は、表示アドレス回路１１８からのアドレスに従って読み出された１ライン分の表示データを、図４に示すラッチパルスＬＰに同期させてラッチする。
【００４０】
カウンタ１２２は、図４に示すように例えば４階調の階調値を決定する場合、リセット信号ＲＥＳにてリセットされると共に信号ＲＥＳを１発目のカウント値としてカウントし、以降２発目〜４発目のカウント値として階調制御信号ＧＣＰをカウントする。
【００４１】
一致検出回路１２３は、前記ラッチ回路１２１からの１ライン分の各データ値と、前記カウンタ１２２からのカウント値とが一致したときに、一致検出回路１２３は極性反転信号ＦＲの論理に基づいてその出力を“Ｌ”から“Ｈ”へ、あるいは“Ｈ”から“Ｌ”へと変化させる。
【００４２】
図４は、極性反転をライン毎に実施する場合であって、正極性駆動時と負極性駆動時での４階調分のセグメントデータＳＥＧ（００）〜ＳＥＧ（１１）が示されている。なお、ＳＥＧ（００）に基づいて駆動される画素の液晶に印加される電圧の実効値は最小となるため、ノーマリホワイトの駆動ではその画素は白に表示される。同様に、ＳＥＧ（０１），ＳＥＧ（１０）にあっては中間調表示とされ、ＳＥＧ（１１）にあっては黒表示とされる。極性反転信号ＦＲが“Ｈ”のときには、図４に示すように各階調値に応じて、リセットパルスＲＥＳまたは階調制御信号ＧＣＰの立ち下がりにて、一致検出回路１２３の出力である４種類の階調値ＳＥＧ（００）〜ＳＥＧ（１１）は“Ｌ”から“Ｈ”に変化している。逆に、極性反転信号ＦＲが“Ｌ”のときには、図４に示すように、一致検出回路１２３の出力である４種類の階調値ＳＥＧ（００）〜（ＳＥＧ（１１）は“Ｈ”から“Ｌ”に変化する。
【００４３】
レベルシフタ１２４は、一致検出回路１２３の出力レベルをシフトさせ、最終的にはＬＣＤドライバ１２５により、表示用電源１２６からの供給電圧に基づき液晶駆動に必要な電圧がセグメント電極（Ｘ電極）に供給されることになる。
【００４４】
なお、図２に示すように、マスター側のＸドライバＩＣ１０ＡからＹドライバ１２には、信号ＹＣＬＫ，ＹＤＡＴＡが入力される。信号ＹＳＣＬは図４に示す一水平走査期間（選択期間）に同期する信号であり、信号ＹＤＡＴＡは１ラインの先頭を示すデータである。また、図４に示すＣＯＭn，ＣＯＭn+1は、Ｙドライバ１２を介して図２に示すｎ本目、ｎ＋１本目のコモン電極（Ｙ電極）に供給される信号の波形を示している。
【００４５】
図１１及び図１２は、ＸドライバＩＣ１０Ａまたは１０ＢからＸ電極に供給される駆動波形ＳＥＧと、ＹドライバＩＣ１２からＹ電極に供給される駆動波形ＣＯＭを示している。
【００４６】
図１１は、パッシブ駆動型液晶装置での原理駆動に用いられるセグメント電極（Ｘ電極）駆動波形ＳＥＧと、コモン電極（Ｙ電極）駆動波形ＣＯＭとを示している。この駆動波形ＳＥＧ，ＣＯＭは中間電圧０Ｖを含む正負５値のレベルを有し、ＣＯＭ−ＳＥＧが液晶の両端に印加される電圧となる。
【００４７】
図１２は、パッシブ駆動型液晶装置での他の駆動方法に用いられるセグメント電極（Ｘ電極）駆動波形ＳＥＧと、コモン電極（Ｙ電極）駆動波形ＣＯＭとを示している。この駆動波形ＳＥＧ，ＣＯＭは最小電圧０Ｖを含む正の６値のレベルを有する。
【００４８】
（表示制御信号の生成について）
上述した表示制御信号ＬＰ，ＲＥＳ，ＧＣＰ，ＦＲは、マスターであるＸドライバＩＣ１０Ａの表示制御信号生成部１６０のみで生成される。図６は、マスターであるＸドライバＩＣ１０Ａの一部を示している。
【００４９】
図６に示すように、表示制御信号生成部１６０は、Ｍ／Ｓ選択端子１６２とドットクロック入力端子１６４とに接続されたナンドゲート１６６を有する。ここで、ＸドライバＩＣ１０Ａは、Ｍ／Ｓ選択端子１６２を外付けにより“Ｈ”固定とすることで、マスターＩＣとして機能するように設定される。このため、発振装置１６３、ドットクロック入力端子１６４を介して入力されるドットクロックＤＣＬＫがナンドゲート１６６を通過して、信号ジェネレータ１６８に入力される。信号ジェネレータ１６８は、インターフェース回路１００からのデータ（デューティーのセット数、極性反転の数など）及びコマンド（ライトコマンド）と、ドットクロックＤＣＬＫとに基づいて、上述した表示制御信号ＬＰ，ＲＥＳ，ＧＣＰ，ＦＲを生成することができる。換言すれば、マスターとなるＸドライバＩＣ１０Ａでは、Ｍ／Ｓ選択端子１６２を“Ｈ”固定とすることで、表示制御信号生成部１６０がイネーブル状態に設定されたことと等価となる。
【００５０】
一方、図７に示すように、Ｍ／Ｓ選択端子１６２が“Ｌ”固定されたスレーブとなるＸドライバＩＣ１０Ｂでは、ドッククロック入力端子１６４からのドットクロックがナンドゲート１６６を通過することはない。よって、スレーブとなるＸドライバＩＣ１０Ｂの表示制御信号生成部１６０では上述した表示制御信号ＬＰ，ＲＥＳ，ＧＣＰ，ＦＲが生成されない。換言すれば、スレーブとなるＸドライバＩＣ１０Ｂでは、Ｍ／Ｓ選択端子１６２を“Ｌ”固定とすることで、表示制御信号生成部１６０がディスイネーブル状態に設定されたことと等価となる。
【００５１】
（表示制御信号の供給について）
図６及び図７に示すように、図３に示す入出力端子１８０は、説明の便宜上、出力端子１８２と第２の入力端子１８４とを有するものとする。この入出力端子１８０の状態を切り換える入出力切換回路１７０は、図６及び図７に示すように、Ｍ／Ｓ選択端子１６２の論理によって駆動されるトランスミッションゲート１７２と、第２の入力端子１８４からの信号とＭ／Ｓ選択端子１６２からの信号との論理和をとるオアゲート１７３とを有する。
【００５２】
そして、マスターとなるＸドライバＩＣ１０Ａでは、Ｍ／Ｓ選択端子１６２を“Ｈ”固定とすることで、入出力切換回路１７０により出力端子１８２が出力可能状態となる一方で、第２の入力端子１８４からの入力に拘わらず、オアゲート１７３の出力は“Ｈ”固定となる。
【００５３】
これとは逆に、スレーブとなるＸドライバＩＣ１０Ｂでは、Ｍ／Ｓ選択端子１６２を“Ｌ”固定とすることで、入出力切換回路１７０により、オアゲート１７３からは第２の入力端子１８４が入力論理がそのまま出力される（すなわち第２の入力端子１８４が入力可能状態となる）一方で、出力端子１８２はハイインピーダンス状態（出力不能状態）に設定される。
【００５４】
このように、本実施の形態では、マスターであるＸドライバＩＣ１０Ａが表示制御信号ＬＰ，ＲＥＳ，ＧＣＰ，ＲＦを生成し、それをそのままＩＣ１０Ａ内部にて使用せずに、一旦出力端子１８２を介して外部に出力している。
【００５５】
そこで次に、外部に出力された表示制御信号ＬＰ，ＲＥＳ，ＧＣＰ，ＲＦを、ＸドライバＩＣ１０Ａ，１０Ｂ内部に入力するための構成を、図６及び図７を参照して説明する。
【００５６】
本実施の形態では、図３に示す信号選択回路１４０を、図６及び図７に示すアンドゲート１４０にて構成している。このアンドゲート１４０は、第１，第２の入力端子１３０，１８４を介して入力される表示制御信号の論理積をとるものである。
【００５７】
図６に示すように、Ｍ／Ｓ選択端子１６２によりマスターＩＣとして設定されたＸドライバＩＣ１０Ａでは、第２の入力端子１８４から表示制御信号が入力されることはない。このときには、オアゲート１７３からアンドゲート１４０に入力される論理は“Ｈ”固定となる。従って、アンドゲート１４０からは、第１の入力端子１３０から入力された表示制御信号がそのまま信号供給部１５０を介して、表示アドレス回路１１８，ドライバ１２０に供給される。
【００５８】
一方、図７に示すよう、Ｍ／Ｓ選択端子１６２によりスレーブＩＣとして設定されたＸドライバＩＣ１０Ｂでは、第２の入力端子１８４が入力可能状態である。従って、アンドゲート１４０には第１，第２の入力端子１３０，１８４から表示制御信号が供給され、その論理積がとられた後に、信号供給部１５０を介して、表示アドレス回路１１８，ドライバ１２０に供給される。
【００５９】
（従来技術にて画面内で濃淡差が生じる理由）
従来技術である図１０においては、マスターのＸドライバＩＣ６１０での表示制御信号の遅延は、内部配線の抵抗及び容量によって生ずる一方で、スレーブのＸドライバＩＣ６２０での表示制御信号の遅延は、内部配線に加えて外部配線６４０の抵抗及び容量によって生ずる。このため、明らかにスレーブ側のＸドライバＩＣ６２０にて使用される表示制御信号の遅延量の方が、マスター側のＸドライバＩＣ１０Ａと比較して大きい。
【００６０】
図８は、図１０に示す従来技術の液晶装置において、それぞれ、各々のＸドライバＩＣ６１０，６２０にて、一水平走査期間（選択期間）内に生じた階調制御信号ＧＣＰと、それにより得られる信号ＳＥＧ（００）とを示している。
【００６１】
ＸドライバＩＣ６１０では階調制御信号ＧＣＰＡの遅延が少ないのに対して、ＸドライバＩＣ６２０では階調制御信号ＧＣＰＢの遅延量が大きい。
【００６２】
ＸドライバＩＣ６１０，６２０にてそれぞれ生ずる信号ＳＥＧＡ（００），ＳＥＧＢ（００）の立ち上がりエッジは、それぞれ対応する階調制御信号ＧＣＰＡ，ＧＣＰＢの立ち下がりタイミングｔ１，ｔ２によって決定される。従って、信号ＳＥＧＡ（００）の立ち上がりのタイミングｔ１に比べて、信号ＳＥＧＢ（００）の立ち上がりのタイミングｔ２は遅れている。
【００６３】
ここで、一水平走査期間（選択期間）の長さは、ＹドライバＩＣ６３０から例えばｎ本目のＹ電極に供給される信号ＣＯＭｎによって決定され、この信号ＣＯＭｎは両ＸドライバＩＣ６１０，６２０からの両信号ＳＥＧに共用される。従って、一水平走査期間（選択期間）の始期ｔ０と終期ｔ３は両信号ＳＥＧに共通である。
【００６４】
ここで、ＸドライバＩＣ６１０にて生ずる信号ＳＥＧＡ（００）の階調値は、時間ｔ１からｔ３に至る時間×電圧（ハッチングで示す面積Ｓ１）によって定まる実効値に基づき設定される。同様に、ＸドライバＩＣ６２０にて生ずる信号ＳＥＧＢ（００）の階調値は、時間ｔ２からｔ３に至る時間×電圧（ハッチングで示す面積Ｓ２）によって定まる実効値に基づき設定される。
【００６５】
ところが、明らかにＳ１≠Ｓ２となり、本来同一の階調値でありながら、Ｘドライバ毎に階調値が異なってしまう。図１０の従来技術にて述べた濃淡差は、上記のことに起因して生じている。
【００６６】
（第１の実施の形態にて画面内の濃淡差を低減できる理由）
これに対して、本実施の形態にあっては、図１０に示す従来技術にて述べた濃淡差を、視覚上ほとんど気にならない程度に低減できる。この理由を以下に説明する。
【００６７】
図２において、ＸドライバＩＣ１０Ａの出力端子１８２から、ＸドライバＩＣ１０Ａの第１の入力端子１３０まで、Ｘドライバ１０Ｂの第１，第２の入力端子１３０，１８４までの配線長をそれぞれ、Ｌ１，Ｌ２，Ｌ３とする。図２から明らかなように、Ｌ１＝Ｌ２＜Ｌ３である。
【００６８】
この関係に基づき、ＸドライバＩＣ１０Ａの第１の入力端子１３０、Ｘドライバ１０Ｂの第１，第２の入力端子１３０，１８４にそれぞれ入力される階調制御信号を、図９に示す通りそれぞれＧＣＰＡ，ＧＣＰＢ１，ＧＣＰＢ２とする。
【００６９】
上述した通り、画素の液晶に印加される電圧の実効値は、階調制御信号を、図９に示すとおりそれぞれＧＣＰＡ，ＧＣＰＢ１，ＧＣＰＢ２の立ち下がりタイミングに依存している。よって、Ｘドライバ１０Ａにて用いられる階調制御信号ＧＣＰＡの立ち下がりタイミングと同じ立ち下がりタイミングを有する階調制御信号ＧＣＰＢ１を用いればよいことが分かる。
【００７０】
そこで、本実施の形態では、図３に示す選択回路１４０として図６及び図７に示すようにアンドゲート１４０を用い、図９に示すように階調制御信号ＧＣＰＢ１，ＧＣＰＢ２の論理積をとることで、階調制御信号ＧＣＰＢ１の立ち下がりエッジを選択するようにしている。
【００７１】
これにより、ＸドライバＩＣ１０Ａ，１０Ｂにそれぞれ入力される表示制御信号の遅延量をほぼ等しくし、図１に示す左右の画面２８Ａ，２８Ｂにて濃淡差をなくしている。
【００７２】
なお、図３に示す配線２００の配線長Ｌ１，Ｌ２を等しくしあるいはその差を少なくする他に、配線２００を区域毎に幅、材質などを変更して、配線遅延差を少なくしても良い。
【００７３】
また、第１，第２の入力端子１３０，１８４からそれぞれ入力される遅延差のある２種の表示制御信号の一方の論理の遷移状態を選択する信号選択回路１４０としては、必ずしもアンドゲートに限らない。例えば、図９に示す階調制御信号ＧＣＰＢ１，ＧＣＰＢ２の一方を選択するスイッチであってもよい。あるいは、図９にて階調制御信号ＧＣＰＢ２の立ち下がりエッジを選択するために、信号選択回路としてオアゲートを用いる場合も有り得る。あるいは、階調制御信号ＧＣＰなどの表示制御信号の立ち上がりエッジに同期させて動作させる場合もあり、必要とする論理の遷移状態を選択できるように信号選択回路を構成すればよい。
【００７４】
（第２の実施の形態）
図１３は、ＸドライバＩＣ１０Ａ，１０Ｂの配線２００を、図２とは異ならせた本発明の第２の実施の形態を示している。この場合、配線２００の各区域の長さは、Ｌ２＜Ｌ１＜Ｌ３でかつ、Ｌ３−Ｌ１＜Ｌ１−Ｌ２となっている。従って、図１３に示す配線例の場合には、階調制御信号ＧＣＰＡ，ＧＣＰＢ１，ＧＣＰＢ２は図１４に示す通りとなる。
【００７５】
よって、Ｘドライバ１０Ａにて用いられる階調制御信号ＧＣＰＡの立ち下がりタイミングに近い立ち下がりタイミングを有する階調制御信号ＧＣＰＢ２を用いればよいことが分かる。
【００７６】
そこで、図１３、図１４に示す場合には、図３に示す選択回路１４０としてオアゲートを用い、図１４に示すように階調制御信号ＧＣＰＢ１，ＧＣＰＢ２の論理和をとることで、階調制御信号ＧＣＰＢ２の立ち下がりエッジを選択すればよい。
【００７７】
図１５は、３個のＸドライバ１０Ａ，１０Ｂ，１０Ｃを接続した例を示している。この場合、中央のＸドライバ１０Ａをマスターとし、その両隣のＸドライバ１０Ｂ，１０Ｃをスレーブとすることができる。この場合、Ｘドライバ１０Ｂは第２の入力端子１８４からの表示制御信号（ＧＣＰＢ２を含む）を選択し、Ｘドライバ１０Ｃは第１の入力端子１３０からの表示制御信号（ＧＣＰＢ１を含む）を選択した方が、各Ｘドライバ１０Ａ，１０Ｂ，１０Ｃにて用いられる例えば階調制御信号ＧＣＰの立ち下がりエッジの時間差は少なくなり、これにより画面内の濃淡差を低減できる。
【００７８】
この場合、Ｘドライバ１０Ｂでは第１，第２の入力端子１３０，１８４からの遅延差のある表示制御信号の論理積をとるアンドゲートを、信号選択回路１４０として用いることができる。一方Ｘドライバ１０Ｃでは、信号選択回路１４０としてオアゲートを用いればよい。なお、３つのＸドライバＩＣ１０Ａ，１０Ｂ，１０ＣのＩＣ構成を共通にするには、信号選択回路１４０にアンドゲート及びオアゲートを設け、外付け配線によっていずれか一方のゲート自体またはゲート出力を選択できるように構成すればよい。
【００７９】
（第３の実施の形態）
図１７は、本発明の第３の実施の形態に係る液晶装置を示している。図１７に示すように、マスター側のＸドライバ４００Ａの入出力端子１８０（出力端子１８２）から出力される表示制御信号は、スレーブ側のＸドライバ４００Ｂの第１の入力端子１３０及び第２の入力端子１８４（入出力端子１８０）を介してＸドライバＩＣ４００Ｂに入力される。
【００８０】
図１８及び図１９は、図１７に示すＸドライバＩＣ４００Ａ，４００Ｂの一部のブロック図を示しており、図６及び図７のブロックと同一機能を有するものについては同一符号を付し、その説明を省略する。
【００８１】
図１８に示すＸドライバＩＣ４００Ａと図１９に示すＸドライバＩＣ４００Ｂとは共に同一の構成を有し、Ｍ／Ｓ選択端子１６２に入力される論理によって機能を異ならせている。
【００８２】
各ドライバＩＣ４００Ａ，４００Ｂが図６，図７と相違する点は、入出力切換回路４１０の内部構成が異なることと、内部遅延回路４２０を設けたことと、信号選択回路としてアンドゲート４３０及びオアゲート４４０を設けたことである。
【００８３】
入出力切換回路４１０は、出力端子１８２に接続されるトランスミッションゲート１７２を第１のトランスミッションゲートとしたとき、第２の入力端子１８４からの入力信号をＭ／Ｓ選択端子１６２からの入力論理を反転させるインバータ１７６からのＨ出力に基づいて入力可能状態とされる第２のトランスミッションゲート１７４を有する。入出力切換回路４１０はさらに、信号ジェネレータ１６８からの表示制御信号を、内部遅延回路４２０に入力させるパスを有し、そのパス途中に、Ｍ／Ｓ選択端子１６２からの“Ｈ”によってオンする第３のトランスミッションゲート１７８を有する。
【００８４】
従って、マスター側のＸドライバＩＣ４００Ａでは、信号ジェネレータ１６８からの表示制御信号は、出力端子１８２と内部遅延回路４２０とに入力される。これに対してスレーブ側のＸドライバＩＣ４００Ｂでは図７と同様に、表示制御信号が第２の入力端子１８４を介して入力される。
【００８５】
内部遅延回路４２０は、図１７にＸドライバＩＣ４００Ａの出力端子１８２からＸドライバＩＣ４００Ｂの第１の入力端子１３０までに至る配線４５０での配線遅延量と同一もしくは近似する遅延量だけ、表示制御信号を遅延させるものである。従って、マスター側のＸドライバＩＣ４００Ａの信号供給部１５０には、内部遅延回路４２０にて遅延された表示制御信号（ＧＣＰＡを含む）がオアゲート４４０を介して入力される。
【００８６】
一方、スレーブ側のＸドライバＩＣ４００Ｂでは、第１の入力端子１３０を介して遅延量の少ない表示制御信号（ＧＣＰＢ１を含む）と、第２の入力端子１８４を介して遅延量の多い表示制御信号（ＧＣＰＢ２を含む）とが入力され、この実施の形態ではアンドゲート４３０により両者の論理積がとられる。よって、例えば階調制御信号ＧＣＰを例に挙げれば、遅延量の少ない階調制御信号ＧＣＰＢ１の立ち下がりエッジが選択される。この場合に内部遅延回路４２０の出力は“Ｌ”となるように第３のトランスミッションゲート１７８が制御されるので、アンドゲート４３０からの信号は、オアゲート４４０を介して信号供給部１５０に入力される。よって、ＸドライバＩＣ４００Ａにて用いられる階調制御信号ＧＣＰＡとほぼ同じ遅延量の信号を用いて表示制御することができる。このため、画面内での濃淡差の問題を解消することができる。
【００８７】
なお、図１８及び図１９に示すアンドゲート４３０は、第１の実施の形態の信号選択回路１４０と同様に、選択すべき信号に応じてオアゲートまたはスイッチなどに変更することができる。
【００８８】
上述した本発明の第３の実施の形態では、内部遅延回路４２０での信号遅延量を可変とすることが好ましい。より好ましくは、その遅延量を画面上に画像を表示しながら、画面内の濃淡差を最小とできるように調整できるものがよい。
【００８９】
以上、本発明の実施の形態について説明したが、本発明は上述した各実施の形態に限定されるものではなく、本発明の要旨の範囲内で種々の変形実施が可能である。
【００９０】
例えば、本発明を液晶装置に適用する場合にあって、各実施の形態に示すパッシブ駆動型液晶装置に限らず、アクティブ駆動型液晶装置であってもよい。一例として、アクティブ素子をＴＦＤとした場合であって、階調表示する際に用いられるデータ信号（ＤＡＴＡ）と走査信号（ＳＣＡＮ）とを、図２０に示しておく。この他、本発明の電気光学装置は電気光学素子として液晶を用いるものに限らず、ＥＬ（エレクトロルミネッセンス）あるいはＭＭＤ（マイクロミラーデバイス）などにも同様に適用できる。
【００９１】
また、本発明は上述の電気光学装置にて階調表示するものに限らず、白、黒などの２値表示するものにも同様に適用できる。この場合の表示制御信号には階調制御信号ＧＣＰは含まれない。しかし、複数のＸドライバＩＣにて用いられる例えばラッチパルスＬＰ間に遅延差がある場合にも、同様に画面内にて濃淡差が生じてしまうので、本発明を適用すればその濃淡差を解消することができる。
【００９２】
さらには、上述した各実施の形態のＸドライバＩＣは入出力端子１８０を有するものであったが、これを出力端子とすることもできる。この場合、スレーブＩＣ１０Ｂ，１０Ｃ，４００Ｇでは、第１の入力端子１３０からのみ表示制御信号が入力されることになる。ただし、入出力端子１８０を用いると、スレーブＩＣ１０Ｂ，１０Ｃ，４００Ｂでは第１，第２の入力端子から入力される遅延差のある表示制御信号の一方を選択できる自由度がある点で優れている。
【００９３】
また、本発明に係る電子機器としては、上述した携帯電話機に限らず、液晶装置などの電気光学装置を用いたパーソナルコンピュータ、モバイルコンピュータ、ワードプロセッサ、ページャ、テレビ、ビューファインダ型またはモニタ直視型の記録機器、電子手帳、電子卓上計算機、ゲーム機器、プロジェクタ、ナビゲーション装置、ＰＯＳ端末などの種々の電子機器に適用可能である。
【図面の簡単な説明】
【図１】本発明の第１の実施の形態に係る液晶装置の概略断面図である。
【図２】図１に示す液晶装置に用いられる２つのＸドライバＩＣ、一つのＹドライバＩＣ及び液晶表示部の接続関係を示す図である。
【図３】図２に示す２つのＸドライバＩＣに共通な構成を示すブロック図である。
【図４】図３に示すＸドライバＩＣ及びＹドライバＩＣにて生成される信号のタイミングチャートである。
【図５】図３に示すドライバのブロック図である。
【図６】図２に示すマスター側のＸドライバＩＣの部分ブロック図である。
【図７】図２に示すスレーブ側のＸドライバＩＣの部分ブロック図である。
【図８】階調制御信号の遅延とそれに起因した実効電圧のずれを説明するための波形図である。
【図９】画面内の濃淡差を低減するための動作を説明するための波形図である。
【図１０】従来の液晶装置に用いられる２つのＸドライバＩＣ、一つのＹドライバＩＣ及び液晶表示部の接続関係を示す図である。
【図１１】パッシブ駆動型液晶装置での原理駆動に用いられる駆動波形を示す図である。
【図１２】パッシブ駆動型液晶装置に用いられる他の駆動波形を示す図である。
【図１３】図２とは異なる配線例を示す図である。
【図１４】図１３に示す配線例の場合の画面内の濃淡差を低減するための動作を説明するための波形図である。
【図１５】本発明の第２の実施の形態に係る液晶装置の説明図である。
【図１６】図１に示す液晶装置が用いられる電子機器の一例である携帯電話機の概略斜視図である。
【図１７】本発明の第２の実施の形態に係る液晶装置の説明図である。
【図１８】図１７に示すマスター側のＸドライバＩＣの部分ブロック図である。
【図１９】図１７に示すスレーブ側のＸドライバＩＣの部分ブロック図である。
【図２０】ＴＦＤをスイッチング素子とするアクティブ駆動型液晶装置に用いられる駆動波形を示す図である。
【符号の説明】
１０  液晶表示ドライバＩＣ
１０Ａ  マスター側のＸドライバＩＣ
１０Ｂ  スレーブ側のＸドライバＩＣ
１２  ＹドライバＩＣ
２０  液晶モジュール
２２，２４  ガラス基板
２６  液晶
２８  液晶表示部
３０  印刷回路基板
４０  弾性接続部材
１００  インターフェース回路
１０２  端子
１０３  端子
１１０  ＲＡＭ
１１２  Ｉ／Ｏバッファ
１１４  カラムアドレス回路
１１６  ローアドレス回路
１１８  表示アドレス回路
１２０  ドライバ
１２１  ラッチ回路
１２２  カウンタ
１２３  一致検出回路
１２４  レベルシフタ
１２５  ＬＣＤドライバ
１２６  表示用電源
１３０  第１の入力端子
１４０  信号選択回路（オアゲート）
１５０  信号供給部
１６０  表示制御信号生成部
１６２  Ｍ／Ｓ選択端子
１６３  発振装置
１６４  ドットクロック入力端子
１６６  ナンドゲート
１６８  信号ジェネレータ
１７０  入出力切換回路
１７２  トランスミッションゲート
１７３  オアゲート
１７４  トランスミッションゲート
１７６  インバータ
１７８  トランスミッションゲート
１８０  入出力端子
１８２  出力端子
１８４  第２の入力端子
２００  配線
３００  ＭＰＵ
４００Ａ  マスター側のＸドライバＩＣ
４００Ｂ  スレーブ側のＸドライバＩＣ
４１０  入出力切換回路
４２０  内部遅延回路
４３０  アンドゲート
４４０  オアゲート
５００  携帯電話機
５１０  受話部
５２０  送話部
５３０  操作部
５４０  アンテナ
６００  液晶表示部
６００Ａ  左半分の画面
６００Ｂ  右半分の画面
６１０  マスター側のＸドライバＩＣ
６２０  スレーブ側のＸドライバＩＣ
６３０  ＹドライバＩＣ
６４０，６５０  配線
【図１】
0003666318.tif 000002
【図２】
0003666318.tif 000003
【図３】
0003666318.tif 000004
【図４】
0003666318.tif 000005
【図５】
0003666318.tif 000006
【図６】
0003666318.tif 000007
【図７】
0003666318.tif 000008
【図８】
0003666318.tif 000009
【図９】
0003666318.tif 000010
【図１０】
0003666318.tif 000011
【図１１】
0003666318.tif 000012
【図１２】
0003666318.tif 000013
【図１３】
0003666318.tif 000014
【図１４】
0003666318.tif 000015
【図１５】
0003666318.tif 000016
【図１６】
0003666318.tif 000017
【図１７】
0003666318.tif 000018
【図１８】
0003666318.tif 000019
【図１９】
0003666318.tif 000020
【図２０】
0003666318.tif 000021